(57)【要約】【課題】屋根の庇からせり出した雪庇を切断するのに都合が良い鋸を提供する。【解決手段】刃板１の側縁に鋸歯２を形成し、刃板１の基部に柄部３を設ける手挽き鋸において、柄部３の先端から先方に向けて刃板の側面に、側面の厚みが先方に向けて薄くなる楔部４を形成する。屋根からせり出した雪庇が大きくなった場合に、雪庇切断用鋸を使用して下から切込みを行って上方に突き上げると、楔部４が切込みを広げることによって雪の塊を落下させる。楔部４は、別に製した平板状で先方に向けて厚みが薄くなる傾斜面を形成した楔片６を刃板１の側面に固定する他、柄部３そのものの先端部分に先方に向けて厚みが薄くなる傾斜面５を形成することができる。【選択図】  図１
2008138442.tif 000002
【特許請求の範囲】
【請求項１】
刃板の側縁に鋸歯を形成し、刃板の基部に柄部を設ける手挽き鋸において、柄部の先端から先方に向けて刃板の側面に、側面の厚みが先方に向けて薄くなる楔部を形成したことを特徴とする雪庇切断用鋸。
【請求項２】
楔部は、別に製した平板状で先方に向けて厚みが薄くなる傾斜面を形成した楔片を刃板の側面に固定した請求項１記載の雪庇切断用鋸
【請求項３】
楔部は、柄部の先端部分を先方に延長し、該延長した柄部の先端部分に先方に向けて厚みが薄くなる傾斜面を形成した請求項１記載の雪庇切断用鋸。
【請求項４】
柄部は、長寸法の連結杆を接続するための接続部である請求項１ないし３のいずれかに記載の雪庇切断用鋸。
【発明の詳細な説明】
【技術分野】
【０００１】
雪国では、屋根に積もった雪が滑り落ちて家屋などに出入りする人が、雪に埋もれるといった危険に晒されることがある。このような事態に対して、雪降しだけでなく庇からせり出した雪庇を前もって切除し、前記危険を回避することが行われる。
本発明は、このように庇からせり出した雪庇を切断するのに都合が良い鋸を工夫したものである。
【背景技術】
【０００２】
大きく成長した雪庇を取り除く方法として、軒下から棒のようなもので突き上げて落とす他、鋸で切断することが考えられる。屋根からせり出した雪庇を切断し、雪害を軽減する発想は、例えば特許文献１に開示されている。手動で雪庇を切断するには長い柄に鋸刃板を装着した鋸を使用して雪庇を切断することができる。
【特許文献１】特開２００２−２７６１９８号公報
【発明の開示】
【発明が解決しようとする課題】
【０００３】
特許文献１に開示されている雪庇切り落とし装置は、センサで雪庇を感知し、軒に沿わせて鋸を移動させるといった大掛かりなものであり、任意場所の雪庇を気軽に切断することができない。一方、手動の鋸で雪庇を切断する場合は、鋸によって切り込んだ雪庇が、作業者の思惑通りに落下せず、作業者の頭上に落下するような危険があった。このような従来技術の欠点に鑑み、本発明は、切り込んだ雪庇を確実に落下させることができる、雪庇切断用の鋸を実現することを目的とするものである。
【課題を解決するための手段】
【０００４】
上記目的を達成するため、請求項１記載の発明は、刃板１の側縁に鋸歯２を形成し、刃板１の基部に柄部３を設ける手挽き鋸において、柄部３の先端から先方に向けて刃板１の側面に、側面の厚みが先方に向けて薄くなる楔部３を形成する。
【０００５】
請求項２記載の発明は、楔部４の具体的な構造に関し、楔部４として、別に製した平板状で先方に向けて厚みが薄くなる傾斜面５を形成した楔片６を刃板１の側面に固定することである。
請求項３記載の発明は、同じく楔部４の具体的な構造に関し、楔部４として、柄部３の先端部分を先方に延長し、延長した柄部３の先端部分に、先方に向けて厚みが薄くなる傾斜面５を形成することである。すなわち、柄部３そのものに楔部４を形成することである。
【０００６】
請求項４記載の発明は、柄部３の構造に関し、柄部３を長寸法の連結杆７を接続するための接続部とすることである。
【発明の効果】
【０００７】
請求項１記載の本発明雪庇切断用鋸によれば、下方から雪庇を切断し、ある程度切れ目を入れた状態で鋸を突き上げると、楔部３が雪庇の切れ目を押し広げて切れ目よりも外側の雪庇を分離して落下させる。このとき、下方からの作業者は、切り離された雪庇の落下方向を確実に予測することができるため、落下した雪の下敷きになるようなことがなくなる。
【０００８】
請求項２記載の発明によれば、上記請求項１記載の発明を実施する上において、楔片６を別部材で製するため、楔として機能的に優れた、例えば金属製として使い易い鋸を容易に提供することができる。逆に、請求項３記載の発明によれば、部品点数を減じコストダウンをはかることができる。
【０００９】
本発明の柄部３は、作業者が直接把持することができるものであってもよいが、その場合作業できる高さに制限を受け、はしごや脚立を利用する場合はそれだけ危険である。これに対して、請求項３記載の発明によれば、長寸法の連結杆７を接続することによって、下から高い位置の雪庇を容易に切断することが可能となる。
【発明を実施するための最良の形態】
【００１０】
以下、本発明に係る雪庇切断用鋸の好ましい実施形態を、添付の図面に基づいて説明する。
図１は、本発明の実施形態を示す雪庇切断用鋸の正面図、図２は雪庇切断用鋸の側面図であって、雪庇の切断状況を示す。図３は、図１のIII−III線断面図、図４は別の実施形態を示す雪庇切断用鋸の部分断面図、図５は雪庇切断の使用状態を示す概略図である。
【００１１】
図１に示す雪庇切断用鋸は、縦長の刃板１の側縁に氷鋸のように比較的大きなピッチの鋸歯２、２を形成し刃板１の基部に柄部３を設ける。鋸歯２の形状やピッチは、氷のように硬くなった雪庇を切断することができるものであればよい。ただし、木工用鋸ではないため、鋸歯２は氷鋸のように大きな目で効率良く切込みが行えるようにするとともに、先端が尖った歯形であってもよいが、例えば鉋刃としてアサリ(歯振り)を省略し、耐久性を向上させるのが好ましい。
【００１２】
刃板１の基部において、柄部３の先端から先方に向けて刃板１の側面に、先方に向けて厚みが薄くなる楔部４を形成する。図１、図２に示す実施形態では、刃板１の基部であって柄部３の先方において、刃板１の背部(鋸歯と反対側の側縁)に左右両側面に楔片６、６をビス８、８によって固定している。楔片６は細幅の平板状であって、その先端部に傾斜面５を形成することによって楔部を形成している。すなわち、楔部４を形成する傾斜面５は、その厚みが先方に向けて薄くなるように形成し、図２における角度α(略50度〜60度)の楔を形成している。さらに、図示実施形態では、楔片６の先端縁を、刃板１の横断方向Ｘに対しても略20度程度傾斜させている。
【００１３】
刃板１の基部に固定する柄部３は、ある程度の長さを有し、基端側略二分の一を盲孔の円筒部９とし、先方略二分の一は側面を切除して偏平部10としている。そして、偏平部10の厚みを二分する如く中心線に沿って切込み11を設け、この切込み11に刃板１の中子部11を挿入してビス13で固定している。
【００１４】
円筒部９には、連結杆７の先端を差しこみ、ビス14で固定している。すなわち、円筒部９は、長寸法の連結杆７を接続するための接続部となるものであり、上記円筒部９以外の構造であって、連結杆７を接続可能な構造とすることができる。しかしながら、図示実施形態の柄部３のように単純化した構造であれば、柄部３全体を合成樹脂材で一体に成形することができる。柄部３は合成樹脂製の他、金属製とすることも可能である。
【００１５】
図４に示す実施形態は、図１ないし図３に示す実施形態における楔片６を、柄部３と一体に形成したものである。図４に示す実施形態では、先方に突出させた柄部３の先端部分が楔部４として機能するものである。すなわち、柄部３の先端に形成した傾斜面５が楔となるものである。図示実施例では、全体が合成樹脂の一体成形品として記載しているが、傾斜面５の部分にチップを装着する他、楔部４の表面に金属板を貼着し、あるいは表面加工によって傾斜面の耐摩耗性を向上させるようにして実施することもできる。
【００１６】
本発明に係る雪庇切断用鋸の使用状態について説明する。図５に示すように、屋根15からせり出した雪庇16が大きくなり落下の危険性が生じた場合に、本発明に係る雪庇切断用鋸を使用して下から切込みを行う。この際、積雪量や雪庇の状態にもよるが適当量の雪が落下するとは限らない。図２の(a)に示す切込みを設けた段階で、図２の(b)に示すように、雪庇切断用鋸を上方に突き上げると、楔部４が切込みに挿入され、切込みが広げられることによって雪の塊が落下する。
【００１７】
従来の鋸で切断するだけでは、切断した雪が大きな塊のまま留まり、不意に作業者の上に落下する危険性があった。本発明に係る雪庇切断用鋸を使用する場合は、切断される雪の塊が適当な大きさとなる位置で切込み、その都度雪庇切断用鋸を押し上げて落下させることによって、安全に作業を進めることが可能となる。
【００１８】
柄部３の先方に形成する楔部４は、刃板の背側縁に沿うように配置し、先方に向けて突出するものであれば、突出寸法は限定されないが、例えば５ないし10センチメートル程度とし、刃板１による切断作業に支障を生じない程度とする。また、図示実施例のように、楔部４の先端縁に傾斜角βを形成することによって、楔部をより小さな力で雪庇の切込みに挿入することができる。
【図面の簡単な説明】
【００１９】
【図１】図１は、本発明の実施形態を示す雪庇切断用鋸の正面図、
【図２】図２は、図１に示す雪庇切断用鋸による、雪庇の切断状況を示す側面図、
【図３】図３は、図１のIII−III線断面図、
【図４】図４は、別の実施形態を示す雪庇切断用鋸の部分断面図、
【図５】図５は雪庇切断の使用状態を示す概略図である。
【符号の説明】
【００２０】
１…刃板、  ２…鋸歯、  ３…柄部、  ４…楔部、  ５…傾斜面、  ６…楔片、  ７…連結杆、  ８、13、14…ビス、  ９…円筒部、  10…偏平部、  11…切込み、  12…中子部。
【図１】
2008138442.tif 000003
【図２】
2008138442.tif 000004
【図３】
2008138442.tif 000005
【図４】
2008138442.tif 000006
【図５】
2008138442.tif 000007